(57)【要約】【課題】押鍵すべきタイミングが近づく様子を滑らかに表現することができる鍵盤楽器を提供すること。【解決手段】電子鍵盤楽器１は、押鍵タイミングの３拍前から２拍前の期間において、第１予告灯４１の光量を減少させて消灯させる一方、第２予告灯４２の光量を増加させて点灯させる。電子鍵盤楽器１は、押鍵タイミングまでの期間において、第２予告灯４２、第３予告灯４３、および押鍵指示灯４４についても、同様に点灯・消灯させる。これにより、隣接する２つの表示灯における点灯の切替わりが経過時間に応じて徐々に行われるため、押鍵すべきタイミングが近づく様子を滑らかに表現することができる。【選択図】図５
2018072708.tif 000002
【特許請求の範囲】
【請求項１】
鍵盤と、
前記鍵盤の各鍵に対応する３つ以上の発光手段と、
制御手段と、を備え、
前記制御手段は、
演奏情報に基づいて、押鍵すべきタイミングに先行して、オフしている前記３つ以上の発光手段のうち、前記鍵盤との距離が遠い前記発光手段から前記距離が近い前記発光手段へ向かって、順に明滅させることで、点灯する発光手段を切替える切替処理を実行し、
前記切替処理において、
前記発光手段を消灯させる場合、および、点灯させる場合の少なくとも何れか一方において、前記発光手段の光量を経過時間に応じて変化させることを特徴とする鍵盤楽器。
【請求項２】
前記制御手段は、前記切替処理において、
前記発光手段の光量を減少させることにより消灯させる一方、当該発光手段の前記鍵盤側に隣接する前記発光手段の光量を増大させることにより点灯させることを特徴とする請求項１に記載の鍵盤楽器。
【発明の詳細な説明】
【技術分野】
【０００１】
本発明は、鍵盤楽器に関するものである。
【背景技術】
【０００２】
従来より、表示手段を用いて押鍵の指示を行う鍵盤楽器がある。例えば、特許文献１には、各鍵に対応して、押鍵を指示する押鍵指示ＬＥＤと、押鍵すべき鍵を予告する予告表示ＬＥＤを備える演奏支援装置が開示されている。このような構成によれば、押鍵指示ＬＥＤが点灯する前に、予告表示ＬＥＤが点灯するので、演奏者は次に押鍵すべき鍵を予め知ることができる。
【先行技術文献】
【特許文献】
【０００３】
【特許文献１】特開２０００−１３２１６３号公報
【発明の概要】
【発明が解決しようとする課題】
【０００４】
ところで、例えば、押鍵すべきタイミングに対して、予告を早い時期から開始させたい場合などに、予告表示ＬＥＤの個数を増やすことが考えられる。複数の予告表示ＬＥＤを順次点灯させることにより、押鍵すべきタイミングが近づく様子を表現することができる。しかしながら、順次点灯させる場合、単に複数の予告表示ＬＥＤを順番に明滅させるだけでは滑らかな表示とはならなかった。
【０００５】
本発明は、上記の課題に鑑みてなされたものであり、押鍵すべきタイミングが近づく様子を滑らかに表現することができる鍵盤楽器を提供することを目的とする。
【課題を解決するための手段】
【０００６】
（１）本願に係る鍵盤楽器は、鍵盤と、鍵盤の各鍵に対応する３つ以上の発光手段と、制御手段と、を備え、制御手段は、演奏情報に基づいて、押鍵すべきタイミングに先行して、オフしている３つ以上の発光手段のうち、鍵盤との距離が遠い発光手段から距離が近い発光手段へ向かって、順に明滅させることで、点灯する発光手段を切替える切替処理を実行し、切替処理において、発光手段を消灯させる場合、および、点灯させる場合の少なくとも何れか一方において、発光手段の光量を経過時間に応じて変化させることを特徴とする。このようにすると、点灯から消灯、もしくは消灯から点灯までを連続的に表現することができるので、押鍵すべきタイミングが近づく様子を滑らかに表現することができる。
【０００７】
（２）また、制御手段は、切替処理において、発光手段の光量を減少させることにより消灯させる一方、当該発光手段の鍵盤側に隣接する発光手段の光量を増大させることにより点灯させることを特徴とする。このようにすると、隣接する２つの発光手段における点灯の切替わりが経過時間に応じて徐々に行われるため、押鍵すべきタイミングが近づく様子を滑らかに表現することができる。
【発明の効果】
【０００８】
本願に係る鍵盤楽器によれば、押鍵すべきタイミングが近づく様子を滑らかに表現することができる鍵盤楽器を提供することができる。
【図面の簡単な説明】
【０００９】
【図１】実施形態に係る電子鍵盤楽器の正面図である。
【図２】ガイド表示および鍵盤の拡大図である。
【図３】電子鍵盤楽器の電気的構成を示すブロック図である。
【図４】楽曲データを楽譜形式で表記した楽譜である。
【図５】実施形態におけるガイド表示の点灯の遷移を説明するタイミング図である。
【図６】実施形態とは異なる態様におけるガイド表示の点灯の遷移を説明するタイミング図である。
【図７】実施形態および実施形態とは異なる態様におけるガイド表示の点灯の遷移を説明する図である。
【図８】電子鍵盤楽器のレッスン機能に関わる機能ブロック図である。
【発明を実施するための形態】
【００１０】
＜鍵盤楽器の構成＞
レッスン機能を有する電子鍵盤楽器１の構成について図１を用いて説明する。電子鍵盤楽器１は筐体１ａ、鍵盤１０、ユーザインターフェース１２、スピーカ１５１，１５１などを備えている。鍵盤１０、ユーザインターフェース１２およびスピーカ１５１，１５１は筐体１ａの正面に配置されている。鍵盤１０は音高に対応した白鍵１０ａおよび黒鍵１０ｂを複数備えている。以下の説明において、鍵盤１０の鍵の並ぶ方向を左右方向、正面視において左右方向と直交する方向を前後方向と称する。ユーザインターフェース１２およびスピーカ１５１，１５１は鍵盤１０の後側に配置されている。スピーカ１５１，１５１は鍵盤１０が受付けた操作に応じた音などを放音する。ユーザインターフェース１２は液晶ディスプレイ１２１、鍵盤１０の鍵と同数のガイド表示４０、および不図示の複数の操作ボタンなどを備えている。液晶ディスプレイ１２１は左右方向における略中央に配置されており、設定画面などを表示する。ガイド表示４０は鍵盤１０の各鍵に対応して、各鍵の近傍に配置されている。操作ボタンとしては、電源ボタン、「スタート／ストップ」ボタンなどがある。尚、図１および図２では、複数の白鍵１０ａ、黒鍵１０ｂ、およびガイド表示４０のうち１つにのみ符号を付し、その他の符号は省略している。
【００１１】
ガイド表示４０については図２を用いて詳しく説明する。ガイド表示４０は、第１予告灯４１、第２予告灯４２、第３予告灯４３、および押鍵指示灯４４を有する。筐体１ａの一部は、第１予告灯４１〜第３予告灯４３および押鍵指示灯４４の各々に対応する矩形の透過性シートが形成されており、透過性シートの筐体１ａの内部側に不図示のＬＥＤ（Light Emitting Diode）が配置されている。透過性シートとは透過性を有するシートである。ＬＥＤの発光色は例えば赤色である。ＬＥＤが点灯した場合、演奏者は透過性シートを通過したＬＥＤが発する光を視認することができる。ここでは、透過性シートとＬＥＤとを含めた各々の構成を第１予告灯４１〜第３予告灯４３および押鍵指示灯４４と称する。尚、以下の説明において、第１予告灯４１〜第３予告灯４３および押鍵指示灯４４を総称して表示灯と記載する場合がある。
【００１２】
第１予告灯４１〜第３予告灯４３は、演奏者が押鍵すべき押鍵タイミングに先行して点灯することにより、押鍵を予告する。押鍵指示灯４４は押鍵タイミングに点灯することにより、押鍵を指示する。第１予告灯４１〜第３予告灯４３および押鍵指示灯４４を構成する透過性シートの各々は、正面視で互いに同じ矩形の形状を有している。
【００１３】
次に、電子鍵盤楽器１の電気的構成について図３を用いて説明する。電子鍵盤楽器１は、図１に示した構成の他に、検出回路１１、音源回路１３、効果回路１４、スピーカ１５１，１５１を有するサウンドシステム１５、ＣＰＵ１６、タイマ３１、ＲＡＭ１８、ＲＯＭ１９、データ記憶部２０、ネットワークインターフェース２１などを備えている。ＣＰＵ１６はＲＯＭ１９が記憶している各種のプログラムを実行することによって、各部を制御する。ここで、各部とは、バス２２を介してＣＰＵ１６と接続される検出回路１１、ユーザインターフェース１２、音源回路１３、およびネットワークインターフェース２１などである。ＲＡＭ１８は、ＣＰＵ１６が各種の処理を実行するための主記憶装置として用いられる。データ記憶部２０は、ＭＩＤＩ（Musical Instrument Digital Interface；登録商標）形式の楽曲データなどを記憶する。データ記憶部２０は、例えばフラッシュメモリなどで実現される。タイマ３１はＣＰＵ１６の命令に従って、設定時間までの時間および楽曲データのイベント（後述）間の時間などをカウントし、残り時間が０となると、ＣＰＵ１６に押鍵信号等の演奏信号を出力する。
【００１４】
検出回路１１は鍵盤１０の動きを検出して演奏信号（押鍵信号、離鍵信号、早さ信号など）を生成し、ＣＰＵ１６経由で音源回路１３へ入力される。
【００１５】
音源回路１３は、押鍵信号等の演奏信号に従い、デジタルオーディオ信号を生成し出力する。効果回路１４は、音源回路１３から出力されるオーディオ信号に例えばリバーブなどの効果を付加したデジタルオーディオ信号を出力する。サウンドシステム１５は、不図示のデジタルアナログ変換器およびアンプなどを有する。デジタルアナログ変換器は、効果回路１４から出力されるデジタルオーディオ信号をアナログオーディオ信号に変換し、アンプへ出力する。アンプは、アナログオーディオ信号を増幅し、スピーカ１５１，１５１へ出力する。スピーカ１５１，１５１は入力されるアナログオーディオ信号に応じて発音する。このように、電子鍵盤楽器１は鍵盤１０の操作に応じて、演奏音を発音する。また、データ記憶部２０に記憶されている楽曲データに基づいて、自動演奏音を発音する。以下、自動演奏音を発音することを、再生すると記載する場合がある。
【００１６】
ユーザインターフェース１２は、ＣＰＵ１６の命令に従って、例えば各種の設定画面などを液晶ディスプレイ１２１に表示する。また、ユーザインターフェース１２は操作ボタンで受付けた操作を信号としてＣＰＵ１６へ送信する。また、ユーザインターフェース１２は、ＣＰＵ１６の命令に従って、第１予告灯４１〜第３予告灯４３および押鍵指示灯４４を構成するＬＥＤの各々を明滅する。ネットワークインターフェース２１は、ＬＡＮ通信を行う。ＣＰＵ１６は、ネットワークインターフェース２１および不図示のルータを介してインターネットと接続し、インターネットに接続されている楽曲データを提供するコンテンツサーバから楽曲データをダウンロードすることができる。
【００１７】
＜レッスン機能の概要＞
次に、電子鍵盤楽器１のレッスン機能について図４，５を用いて説明する。ここでは、レッスンに使用される楽曲データを楽譜形式で表記した楽譜６０の１小節は図４のように構成されているものとする。楽譜６０の拍子は４分の４拍子である。楽譜６０の１小節には、４分音符である音符ｎ１、８分音符である音符ｎ２，ｎ３、４分音符である音符ｎ４，ｎ５がこの順に並んでいる。図５において、時間は、音符ｎ１の押鍵タイミングを０としている。また、図５において、第１予告灯４１〜第３予告灯４３および押鍵指示灯４４の点灯している期間を矩形で表記している。第１予告灯４１〜第３予告灯４３および押鍵指示灯４４は、光量Ｑ１〜Ｑ４の４段階の光量で点灯することができる。尚、光量の大きさはＱ１＜Ｑ２＜Ｑ３＜Ｑ４の順になっている。図５では、光量Ｑ１〜Ｑ４を互いに異なるハッチングで表記している。
【００１８】
図５に示すように、電子鍵盤楽器１は楽曲データの再生を開始し、音符ｎ１の押鍵タイミングの３拍前になると第１予告灯４１を光量Ｑ４で点灯し、押鍵タイミングの３拍前から押鍵タイミングまでの期間において、音符ｎ１に対応する第１予告灯４１〜第３予告灯４３および押鍵指示灯４４を、鍵盤１０との距離が遠い第１予告灯４１から鍵盤１０との距離が近い押鍵指示灯４４へ向かう順にクロスフェード表示する。詳しくは、電子鍵盤楽器１は音符ｎ１の押鍵タイミングの３拍前に音符ｎ１の第１予告灯４１を光量Ｑ４で点灯する。次に、１／４拍後、つまり押鍵タイミングの２．７５拍前になると、電子鍵盤楽器１は第１予告灯４１の光量を光量Ｑ３に切替え、第２予告灯４２を光量Ｑ１で点灯する。さらに１／４拍後の押鍵タイミングの２．５拍前になると、電子鍵盤楽器１は第１予告灯４１および第２予告灯４２の光量を光量Ｑ２に切替える。さらに１／４拍後の押鍵タイミングの２．２５拍前になると、電子鍵盤楽器１は第１予告灯４１の光量を光量Ｑ１に切替え、第２予告灯４２の点灯を光量Ｑ３に切替える。さらに１／４拍後の押鍵タイミングの２拍前になると、電子鍵盤楽器１は第１予告灯４１を消灯し、第２予告灯４２の点灯を光量Ｑ４に切替える。
つまり、１拍の間に第１予告灯４１は点灯状態から消灯状態に、第２予告灯は消灯状態から点灯状態へ変化する。
【００１９】
以後同様に、電子鍵盤楽器１は押鍵タイミングの２拍前から１拍前の１拍の期間において、第２予告灯４２の光量を段階的に少なくして点灯状態から消灯状態に変化させつつ、第３予告灯４３の光量を段階的に多くして消灯状態から点灯状態へ変化させる。次に、押鍵タイミングの１拍前から押鍵タイミングまでの期間において、電子鍵盤楽器１は第３予告灯４３の光量を段階的に少なくしつつ、押鍵指示灯４４の光量を段階的に多くする。電子鍵盤楽器１は押鍵タイミングになると、第３予告灯４３を消灯し、押鍵指示灯４４の光量を光量Ｑ４に切替えて点灯させる。次に、電子鍵盤楽器１は押鍵タイミングから１拍経過すると、押鍵指示灯４４を消灯する。このように、電子鍵盤楽器１は、点灯から消灯、消灯から点灯までの光量を、夫々、経過時間に応じて少なく、多くすることができるため、点灯から消灯および消灯から点灯までを連続的に表現することができる。また、電子鍵盤楽器１は例えば、第１予告灯４１と第２予告灯４２などの、隣接する２つの表示灯における点灯の切替わりを経過時間に応じて徐々に行うため、一方を徐々に明るくしつつ他方を徐々に暗くするため、押鍵すべきタイミングが近づく様子を滑らかに表現することができる。
【００２０】
音符ｎ２〜ｎ５に対応するガイド表示４０についても、各々の押鍵タイミングの３拍前から押鍵タイミングの１拍後まで、電子鍵盤楽器１は同様に点灯する。電子鍵盤楽器１は鍵盤１０の各々の鍵に対応するガイド表示４０のすべてに対して、上記のように点灯を行う。順に点灯される第１予告灯４１〜第３予告灯４３および押鍵指示灯４４を見ることにより、楽曲の進行に合わせて、演奏者は押鍵すべき鍵を追っていくことができる。また、押鍵指示灯４４の点灯により、押鍵タイミングを認識することができる。
【００２１】
ところで、図４に示す様に、音符ｎ３の前には、４分音符である音符ｎ１および８分音符である音符ｎ２が並んでいるため、図５に示す様に、音符ｎ３の第１予告灯４１の点灯を開始するタイミングは、音符ｎ１の押鍵タイミングの１．５拍前となる。従って、本実施形態の様に表示灯の光量が段階的に変化する構成ではなく、表示灯が点灯・消灯の２つの状態のみしかとらない構成の場合には、音符ｎ３と音符ｎ２とにおける押鍵タイミングまでの時間の差異が表現できないタイミングが発生してしまう。図６，７を用いて、次に説明する。
【００２２】
電子鍵盤楽器１において、図６に示すように、表示灯を光量Ｑ４でのみ点灯する方法も考えられる。この方法とは、詳しくは、まず、音符ｎ１の押鍵タイミングの３拍前になると音符ｎ１に対応する第１予告灯４１を光量Ｑ４で点灯させる。次に、音符ｎ１の押鍵タイミングの２拍前になると、第１予告灯４１を消灯させ、第２予告灯４２を光量Ｑ４で点灯させる。以後、同様に、音符ｎ１の押鍵タイミングの１拍前、押鍵タイミング、押鍵タイミングの１拍後のタイミングで、点灯する表示灯を第２予告灯４２、第３予告灯４３、および押鍵指示灯４４の順に切替える方法である。尚、図５と同様に、図６の時間は、音符ｎ１の押鍵タイミングを０としている。以後、この方法をパターンＢと称し、本実施形態の表示方法をパターンＡと称する。
【００２３】
パターンＢの場合、音符ｎ３の押鍵タイミングは音符ｎ１の押鍵タイミングの１．５拍前であるため、音符ｎ３に対応するガイド表示４０と、音符ｎ３の直前の音符である音符ｎ２に対応するガイド表示４０とが同じ表示となってしまう期間が発生してしまう。例えば、図６の時刻ｔ１におけるガイド表示４０の点灯状態は図７の表示１００のようになる。表示１００は、右から順に音符ｎ１〜ｎ５の各々に対応するガイド表示４０を示しており、光量Ｑ４で点灯している表示灯を黒色部で表記している。時刻ｔ１では、音符ｎ２に対応する第３予告灯４３と、音符ｎ３に対応する第３予告灯４３とが点灯する。このように、音符ｎ２に対応するガイド表示４０と、音符ｎ３に対応するガイド表示４０とでは表示状態が同じであるため、演奏者は、時刻ｔ１において、音符ｎ２に対応する鍵と、音符ｎ３に対応する鍵とのどちらを先に押鍵すべきかを判別することができなくなってしまう。
【００２４】
一方、本実施形態のパターンＡによれば、図５の時刻ｔ１におけるガイド表示４０の点灯状態は図７の表示７０のようになる。表示７０は、右から順に音符ｎ１〜ｎ５の各々に対応するガイド表示４０を示しており、点灯している表示灯をハッチングして表記している。また、図５と同様に、光量Ｑ１〜Ｑ４を互いに異なるハッチングで表記している。また、図５の時刻ｔ１と図６の時刻ｔ１とは同時刻を示しており、音符ｎ１の押鍵タイミングの０．８７５拍後,（３／４拍と４／４拍の間）である。音符ｎ２に対応するガイド表示４０において、第３予告灯４３は光量Ｑ１で点灯し、押鍵指示灯４４は光量Ｑ３で点灯しているのに対し、音符ｎ３に対応するガイド表示４０において、第３予告灯４３は光量Ｑ３で点灯し、押鍵指示灯４４は光量Ｑ１で点灯している。このように、音符ｎ２に対応するガイド表示４０と、音符ｎ３に対応するガイド表示４０とでは表示状態が異なるため、演奏者は、時刻ｔ１において、音符ｎ２に対応する鍵を、音符ｎ３に対応する鍵より先に押鍵すべきであると判別することができる。このように、１つの表示灯が点灯している期間である１拍よりも短い長さを持つ音符である、音符ｎ２，ｎ３が楽曲に含まれている場合にも、１拍よりも短い、０．２５拍の間隔で光量が変化するため、各音符の押鍵タイミングまでの時間を詳細に表現することができる。押鍵開始タイミングが１拍（４分音符）以下である音符ｎ３，ｎ４のような場合でも、１拍未満の間隔で光量を変化させているため、その押鍵順序を表現することが可能である。
【００２５】
＜楽曲データ＞
次に、楽曲データについて説明する。楽曲データには楽曲情報および複数のトラックが含まれている。楽曲情報には、楽曲データの楽曲名などの情報が含まれている。トラックには時間情報とイベントとが１組として構成されているデータが楽曲の進行順に並んでいる。イベントとは、処理の内容を指示するデータである。時間情報とは、イベントを処理する時間を指示するデータである。複数のトラックのうち、１つのトラックには、レッスン用のデータが収められており、その他のトラックには、伴奏用のデータが収められている。イベントには、ＭＩＤＩイベントである「ノートオン」および「ノートオフ」と、メタイベントである「ガイド表示オン」および「ガイド表示オフ」などがある。尚、「ガイド表示オン」および「ガイド表示オフ」は、レッスン用のトラックに含まれている。
【００２６】
「ノートオン」は発音を指示するデータであり、「ノートオフ」は消音を指示するデータである。「ノートオン」および「ノートオフ」には、「ノートナンバー」、「ベロシティ」などが付随している。「ノートナンバー」とは、音高を指定するデータであり、「ベロシティ」とは、音の強弱を表すデータである。「ガイド表示オン」および「ガイド表示オフ」は、ガイド表示４０の点灯・消灯のためのデータである。「ガイド表示オン」および「ガイド表示オフ」には、「ノートナンバー」などが付随している。「ガイド表示オン」に対応する時間情報は、対応する押鍵タイミングの３拍前に設定されている。尚、トラックの最後には、終了コードが含まれている。
＜機能ブロック＞
次に、電子鍵盤楽器１が有するレッスン機能に関わる機能ブロックについて、図８を用いて説明する。電子鍵盤楽器１は、上記した構成の他に、読出し部５１およびＬＥＤ制御部５２を有している。読出し部５１およびＬＥＤ制御部５２は、例えばＣＰＵ１６がＲＯＭ１９に記憶されているプログラムを実行することなどにより実現される。
【００２７】
レッスン機能を使用したい演奏者が、ユーザインターフェース１２を操作して、所望の楽曲データを選択すると、ＣＰＵ１６は指定された楽曲データをデータ記憶部２０から読み出して、ＲＡＭ１８に記憶させる。レッスン機能を開始したい演奏者は、ユーザインターフェース１２の「スタート／ストップ」キーを押下する。
【００２８】
読出し部５１は、ユーザインターフェース１２からの信号により、「スタート／ストップ」キーが押下されたと判断すると、読出し処理を開始する。読出し処理を開始すると、読出し部５１は、ＲＡＭ１８に記憶されている楽曲データのトラックに含まれる時間情報およびイベントを先頭から順に読み出し、タイマ３１を用いて時間情報に従ったタイミングで、イベントに応じた命令をＬＥＤ制御部５２および音源回路１３に出力する。イベントが、「ノートオン」、「ノートオフ」であれば、音源回路１３に「ノートオン」、「ノートオフ」の命令を出力する。音源回路１３および効果回路１４は、入力される「ノートオン」、「ノートオフ」の命令と付随する「ノートナンバー」、「ベロシティ」などに従って、信号処理を行う。これにより、サウンドシステム１５から、伴奏音が発音される。
【００２９】
イベントが「ガイド表示オン」「ガイド表示オフ」であれば、読出し部５１は「ガイド表示オン」「ガイド表示オフ」の命令をＬＥＤ制御部５２へ出力する。ＬＥＤ制御部５２は、「ガイド表示オン」の命令が入力されると、切替処理を開始する。ＬＥＤ制御部５２は、切替処理を開始すると、まず、付随する「ノートナンバー」に対応するガイド表示４０の第１予告灯４１の光量Ｑ４での点灯をユーザインターフェース１２に指示する。次に、タイマ３１を用いて、第１予告灯４１の点灯を指示してからの経過時間が０．２５拍（１／４拍）に相当する時間となったと判断すると、第１予告灯４１の光量を光量Ｑ３に切替え、第２予告灯４２を光量Ｑ１で点灯するようにユーザインターフェース１２に指示する。以後、「ガイド表示オフ」の命令が入力されるまで、０．２５拍に相当する時間毎に、同様にＬＥＤ制御部５２は点灯・消灯および光量をユーザインターフェース１２に指示する。ＬＥＤ制御部５２は、「ガイド表示オフ」の命令が入力されると、押鍵指示灯４４の消灯をユーザインターフェース１２に指示し、切替処理を開始する。
【００３０】
尚、読出し部５１は、「スタート／ストップ」キーが押下されたと判断した場合、および楽曲データの終了コードを読み出した場合、切替処理を終了する。
【００３１】
以上の記載において、第１予告灯４１〜第３予告灯４３および押鍵指示灯４４を構成するＬＥＤは発光手段の一例である。ＣＰＵ１６は制御手段の一例である。楽曲データは演奏情報の一例である。
【００３２】
以上、説明した実施形態によれば、以下の効果を奏する。
ＣＰＵ１６がプログラムを実行することなどによって実現されるＬＥＤ制御部５２は、楽曲データに基づいて、押鍵タイミングに先行して第１予告灯４１〜第３予告灯４３を順次明滅させ、押鍵タイミングで押鍵指示灯４４の点灯させる切替処理を実行する。ＬＥＤ制御部５２は、例えば、第１予告灯４１の光量を減少させて消灯させる一方、第２予告灯４２の光量を増加させて点灯させる。これにより、隣接する２つの表示灯における点灯の切替わりが経過時間に応じて徐々に行われるため、一方を徐々に明るくしつつ他方を徐々に暗くするため、押鍵すべきタイミングが近づく様子を滑らかに表現することができる。
【００３３】
［変形例］
尚、本発明は前記実施形態に限定されるものではなく、本発明の趣旨を逸脱しない範囲内での種々の改良、変更が可能であることは言うまでもない。
上記では、例えば、第１予告灯４１の光量を減少させて消灯させる一方、第２予告灯４２の光量を増加させて点灯させると説明したがこれに限定されない。点灯させる際の光量のみを経過時間に応じて変化させる構成としても良い。例えば、図５において、第１予告灯４１を、押鍵タイミングの３拍前から２拍前の期間、光量Ｑ４で点灯させる一方、第２予告灯４２については上記と同様に、押鍵タイミングの２．７５拍前から光量Ｑ１〜Ｑ４で徐々に点灯させる構成としても良い。同様に、消灯させる際の光量のみを経過時間に応じて変化させる構成としても良い。点灯から消灯および消灯から点灯の何れか一方の光量を経過時間に応じて変化させても、押鍵すべきタイミングが近づく様子を滑らかに表現することができる。
【００３４】
また、上記では、ＬＥＤは光量Ｑ１〜光量Ｑ４の４つの光量で点灯すると説明したが、光量のレベル数を限定するものではない。ＬＥＤの光量のレベル数は、４つより少なくても良いが、多くするほど、より滑らかに表現することができて良い。また、上記では、押鍵タイミングの３拍前から押鍵タイミングまでの期間において、点灯している表示灯は、０．２５拍に相当する期間、同じ光量で点灯すると説明したが、これに限定されない。上記のように、階段状に光量が変化するのではなく、光量を経過時間に応じて連続的に変化する構成としても良い。
【００３５】
また、上記では、点灯から消灯と、消灯から点灯までの光量の変化が同じように行われると説明したが、これに限定されない。例えば、点灯から消灯までは３段階の光量で変化するのに対し、消灯から点灯までは４段階の光量で変化する構成としても良い。
【００３６】
また、図５〜７を用いて、前記実施形態によれば、１つの表示灯が点灯している期間よりも短い長さをもつ音符を含む楽曲において、押鍵までの時間をより詳細に表現できると説明した。前記実施形態によれば、装飾音符などを含む楽曲においても同様に表現することができる。
【００３７】
上記では、ガイド表示４０は透過性シートとＬＥＤとで構成されていると説明したが、これに限定されない。例えば、第１予告灯４１〜第３予告灯４３、および押鍵指示灯４４の各々は筐体１ａから露出するＬＥＤなどの発光素子で構成されても良い。
【００３８】
また、上記では、発光手段としてＬＥＤを例示したが、これに限定されず、例えば、蛍光灯などでも良い。
【００３９】
また、上記では、表示灯の表示色を例示したが、色を限定するものではない。また、上記では、表示灯は０．２５拍毎に光量が変化すると説明したが、時間間隔を限定するものではない。また、上記では、表示灯を構成する透過性シートの正面視での形状を例示したが、形状を限定するものではない。
【００４０】
また、上記では、楽曲データに予め、「ガイド表示オン」および「ガイド表示オフ」が含まれていると説明したが、これに限定されない。「ガイド表示オン」および「ガイド表示オフ」の一方、あるいは両方が楽曲データに含まれていない構成としても良い。この場合、例えば、「ガイド表示オン」が含まれていない場合には、読出し部５１は時間情報およびイベントを略同時に読出し、「ノートオン」のデータを読み出すと「ノートオン」に対応する時間情報の３拍前に相当するタイミングで「ノートオン」の命令をＬＥＤ制御部５２へ出力し、これに応じてＬＥＤ制御部５２は第１予告灯４１を点灯させる構成とすれば良い。
【００４１】
また、上記では、鍵盤楽器として電子鍵盤楽器１を例示したが、これに限定されない。上記したように、鍵盤操作に応じた発音とは別にガイド表示４０の制御は行われるので、例えばアコースティックピアノなどのアコースティック鍵盤楽器などにも適用することができる。
【符号の説明】
【００４２】
１  電子鍵盤楽器
１０  鍵盤
１２  ユーザインターフェース
１６  ＣＰＵ
４０  ガイド表示
４１  第１予告灯
４２  第２予告灯
４３  第３予告灯
４４  押鍵指示灯
５１  読出し部
５２  ＬＥＤ制御部
【図１】
2018072708.tif 000003
【図２】
2018072708.tif 000004
【図３】
2018072708.tif 000005
【図４】
2018072708.tif 000006
【図５】
2018072708.tif 000007
【図６】
2018072708.tif 000008
【図７】
2018072708.tif 000009
【図８】
2018072708.tif 000010